(57)【特許請求の範囲】
【請求項１】
リング形状の基部の外周にレバー押さえばね部が一体に延設され、内周にスプリングホルダ押さえばね部が一体に形成され、上記レバー押さえばね部が、記録ワイヤを先端部に装着したワイヤレバーの基端部に押圧力を付与し、上記スプリングホルダ押さえばね部が、上記ワイヤレバーの先端部付近に復帰力を付与する復帰スプリングを収容したスプリングホルダに押圧力を付与するように構成される一方、前記リング形状の基部の内周部に前記スプリングホルダの位置決め突起が挿入される位置決め穴を有する位置決め部を一体に形成したことを特徴とする記録ヘッドのレバー支点押さえばね。
【請求項２】
記録ワイヤを先端部に装着すると共に基端部を支点として回動可能に設けられたワイヤレバーと、このワイヤレバーの上記基端部に押圧力を付与するレバー支点押さえばねと、上記ワイヤレバーの上記先端部付近に復帰力を付与する復帰スプリングを収容したスプリングホルダと、を有する記録装置の記録ヘッドにおいて、
上記レバー支点押さえばねは、リング形状の基部の外周にレバー押さえばね部が一体に延設され、内周にスプリングホルダ押さえばね部が一体に形成され、上記レバー押さえばね部が、上記ワイヤレバーの上記基端部に押圧力を付与し、上記スプリングホルダ押さえばね部が、上記スプリングホルダに押圧力を付与するように構成される一方、前記リング形状の基部の内周部に前記スプリングホルダの位置決め突起が挿入される位置決め穴を有する位置決め部を一体に形成したことを特徴とする記録装置の記録ヘッド。
【請求項３】
プラテンに沿って走行可能なキャリッジに、複数の記録ワイヤを備えた記録ヘッドが搭載され、この記録ヘッドは、上記記録ワイヤを先端部に装着すると共に基端部を支点として回動可能に設けられたワイヤレバーと、このワイヤレバーの上記基端部に押圧力を付与するレバー支点押さえばねと、上記ワイヤレバーの上記先端部付近に復帰力を付与する復帰スプリングを収容したスプリングホルダとを有し、上記記録ワイヤの突出動作により、上記記録ヘッドと上記プラテンとの間に搬送されるシートに画像が記録される記録装置において、
上記記録ヘッドの上記レバー支点押さえばねは、リング形状の基部の外周にレバー押さえばね部が一体に延設され、内周にスプリングホルダ押さえばね部が一体に形成され、上記レバー押さえばね部が、上記ワイヤレバーの上記基端部に押圧力を付与し、上記スプリングホルダ押さえばね部が、上記スプリングホルダに押圧力を付与するように構成される一方、前記リング形状の基部の内周部に前記スプリングホルダの位置決め突起が挿入される位置決め穴を有する位置決め部を一体に形成したことを特徴とする記録装置。
【発明の詳細な説明】
【０００１】
【発明の属する技術分野】
本発明は、記録ワイヤを備えた記録ヘッドに内蔵された記録ヘッドのレバー支点押さえばね、このレバー支点押さえばねを有する記録装置の記録ヘッド、及びこの記録ヘッドを有する記録装置に関する。
【０００２】
【従来の技術】
記録装置には、記録ヘッドをプラテンの軸方向に走行させる間に、この記録ヘッドにおける複数の記録ワイヤをインクリボンを介して、上記プラテンの前方周面に位置するシートに打ち付け、このシートに記録書込を実施するドットインパクトプリンタがある。
【０００３】
このようなプリンタでは、図９に示すように、記録ワイヤ１０１を先端部に装着すると共に、基端部を支点として回動可能に設けられたワイヤレバー１０２と、このワイヤレバー１０２の基端部に押圧力Ｆを付与するレバー支点押さえばね１０３と、ワイヤレバー１０２の先端部付近に復帰力を付与する復帰スプリング１０４を収容したスプリングホルダ１０５と、を備えた記録ヘッド１００を有するものがある。
【０００４】
この記録ヘッド１００では、更に、レバー支点押さえばね１０３及びスプリングホルダ１０５の外側にレバーホルダ１０６が設置され、レバー支点押さえばね１０３を介してワイヤレバー１０２が保持されている。また、レバーホルダ１０６とスプリングホルダ１０５との間に、コイルスプリング１０７等のばね部材が設置されている。このコイルスプリング１０７により、記録ワイヤ１０１の動作に伴うスプリングホルダ１０５の浮き上がりが防止されて、スプリングホルダ１０５が適正位置に保持される。
【０００５】
【発明が解決しようとする課題】
ところが、レバー支点押さえばね１０３は、そのレバー押さえばね部１０８がワイヤレバー１０２の基端部に押圧力Ｆを付与すると、この押圧力Ｆの反力Ｎｆを受けて、図９の二点鎖線に誇張して示すように撓み変形し、上記押圧力Ｆが減少してしまう。このため、基端部を支点として回動するワイヤレバー１０２の挙動が不安定となって、記録ヘッド１００を高速で動作させることができない場合が生ずる。
【０００６】
また、スプリングホルダ１０５とワイヤレバー１０２との間に復帰スプリング１０４を、レバーホルダ１０６とワイヤレバー１０２との間にレバー支点押さえばね１０３をそれぞれ配置する他、スプリングホルダ１０５とレバーホルダ１０６との間にコイルスプリング１０７を配置しなければならないことから、記録ヘッド１００の組み付け作業が煩雑となり、記録ヘッド１００の製造コストが上昇してしまう。
【０００７】
本発明は、上述の事情を考慮してなされたものであり、記録ヘッドの記録ワイヤを先端部に装着したワイヤレバーの挙動を安定化して、記録装置に高速記録を実現させることができる記録ヘッドのレバー支点押さえばね、記録装置の記録ヘッド及び記録装置を提供することにある。
【０００８】
【課題を解決するための手段】
請求項１に記載の発明は、リング形状の基部の外周にレバー押さえばね部が一体に延設され、内周にスプリングホルダ押さえばね部が一体に形成され、上記レバー押さえばね部が、記録ワイヤを先端部に装着したワイヤレバーの基端部に押圧力を付与し、上記スプリングホルダ押さえばね部が、上記ワイヤレバーの先端部付近に復帰力を付与する復帰スプリングを収容したスプリングホルダに押圧力を付与するように構成される一方、前記リング形状の基部の内周部に前記スプリングホルダの位置決め突起が挿入される位置決め穴を有する位置決め部を一体に形成したことを特徴とするものである。
【０００９】
請求項２に記載の発明は、記録ワイヤを先端部に装着すると共に基端部を支点として回動可能に設けられたワイヤレバーと、このワイヤレバーの上記基端部に押圧力を付与するレバー支点押さえばねと、上記ワイヤレバーの上記先端部付近に復帰力を付与する復帰スプリングを収容したスプリングホルダと、を有する記録装置の記録ヘッドにおいて、上記レバー支点押さえばねは、リング形状の基部の外周にレバー押さえばね部が一体に延設され、内周にスプリングホルダ押さえばね部が一体に形成され、上記レバー押さえばね部が、上記ワイヤレバーの上記基端部に押圧力を付与し、上記スプリングホルダ押さえばね部が、上記スプリングホルダに押圧力を付与するように構成される一方、前記リング形状の基部の内周部に前記スプリングホルダの位置決め突起が挿入される位置決め穴を有する位置決め部を一体に形成したことを特徴とするものである。
【００１０】
請求項３に記載の発明は、プラテンに沿って走行可能なキャリッジに、複数の記録ワイヤを備えた記録ヘッドが搭載され、この記録ヘッドは、上記記録ワイヤを先端部に装着すると共に基端部を支点として回動可能に設けられたワイヤレバーと、このワイヤレバーの上記基端部に押圧力を付与するレバー支点押さえばねと、上記ワイヤレバーの上記先端部付近に復帰力を付与する復帰スプリングを収容したスプリングホルダとを有し、上記記録ワイヤの突出動作により、上記記録ヘッドと上記プラテンとの間に搬送されるシートに画像が記録される記録装置において、上記記録ヘッドの上記レバー支点押さえばねは、リング形状の基部の外周にレバー押さえばね部が一体に延設され、内周にスプリングホルダ押さえばね部が一体に形成され、上記レバー押さえばね部が、上記ワイヤレバーの上記基端部に押圧力を付与し、上記スプリングホルダ押さえばね部が、上記スプリングホルダに押圧力を付与するように構成される一方、前記リング形状の基部の内周部に前記スプリングホルダの位置決め突起が挿入される位置決め穴を有する位置決め部を一体に形成したことを特徴とするものである。
【００１１】
請求項１乃至３に記載の発明には、次の作用がある。
【００１２】
レバー支点押さえばねは、そのレバー押さえばね部が、記録ワイヤを先端部に装着したワイヤレバーの基端部に押圧力を付与すると、この押圧力の反力を受けて撓み変形し、上記押圧力が減少する傾向となる。しかし、レバー支点押さえばねのスプリングホルダ押さえばね部がスプリングホルダを押圧したときの反力が、レバー支点押さえばねの上記撓み変形を矯正する方向に作用するので、レバー押さえばね部がワイヤレバーの基端部に作用する上記押圧力を適正に確保できる。この結果、基端部を支点として回動するワイヤレバーの挙動が安定化し、記録ワイヤを高速に動作させることができるので、記録装置に高速記録を実現させることができる。
【００１３】
また、レバー押さえばね部を備えたレバー支点押さえばねに、スプリングホルダを押圧するスプリングホルダ押さえばね部が一体に設けられたことから、スプリングホルダを押圧するためのばね部材等を別途組み付ける必要がないので、記録ヘッドの組立作業が容易となって、記録ヘッドの製造コストを低減できる。
【００１４】
【発明の実施の形態】
以下、本発明の実施の形態を、図面に基づき説明する。
【００１５】
図１は、本発明に係る記録装置の一実施の形態が適用されたドットインパクトプリンタのプリンタ本体を示す斜視図である。図２は、図１のプリンタ本体を示す側断面図である。
【００１６】
これらの図に示す記録装置としてのプリンタ１０は、記録ヘッドの図示しない多数の記録ワイヤを、インクリボン３１（図２）を介してシートＳに打ち付けてドットを記録することにより、文字を含む画像を印刷するドットインパクトプリンタである。ここで、シートＳは、単票紙や連続紙などの普通紙の他に、ＯＨＰ（オーバーヘッドプロジェクト）シートやコート紙、フィルムなどである。
【００１７】
上記プリンタ１０は、図１に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３４（図２）と、プリンタ本体１１の上方、下方をそれぞれ覆う図示しないアッパケース及びロアケースと、を有して構成される。
【００１８】
上記プリンタ本体１１は、本体フレームとしてのベースフレーム１４、シート案内フレーム１５（図２）、左サイドフレーム１６及び右サイドフレーム１７と、記録ヘッド１８及びキャリッジ１９を備えた印刷機構部２０と、プラテン２１、シート案内２２及びピンチローラ２５（図２）を備えたシート搬送機構部２３と、を有して構成される。
【００１９】
ベースフレーム１４及びシート案内フレーム１５は、図２に示すようにほぼ平行配置され、これらのベースフレーム１４及びシート案内フレーム１５の両端に上記左サイドフレーム１６、右サイドフレーム１７がそれぞれ立設して固定される。こららの左サイドフレーム１６と右サイドフレーム１７間に、図１に示すように、キャリッジガイド軸２４が架け渡されて回動可能に枢支され、プラテン２１が架け渡されて回転自在に配設されている。シート案内２２は、左サイドフレーム１６と右サイドフレーム１７との間に配設されて、シート案内フレーム１５に嵌合して固定されている。また、左サイドフレーム１６及び右サイドフレーム１７の後方部、上方部それぞれには、前記プッシュトラクタユニット１２、排出ユニット１３をそれぞれ装着可能な図示しないトラクタユニット装着部、排出ユニット装着部が設けられている。
【００２０】
図１に示すプッシュトラクタユニット１２は、シートＳとしての連続紙をシート搬送機構部２３へ送り出し、シート供給ガイド３４は、シートＳとしての単票紙を１枚づつシート供給機構部２３へ供給する。また、排出ユニット１３は、連続紙または単票紙をシート搬送機構部２３からプリンタ１０外へ引き出すものである。
【００２１】
つまり、図２に示すように、プッシュトラクタユニット１２のトラクタベルト２６の回転により、このトラクタベルト２６のピン２７の作用で、連続紙は、シート搬送機構部２３のシート案内２２に案内され、このシート案内２２とプラテン２１との間に形成されるシート搬送経路２８を経てプラテン２１へ向い、矢印α方向に送給される。このプッシュトラクタユニット１２の非動作時に、シート供給ガイド３４から単票紙が一枚づつ、シート搬送経路２８を経てプラテン２１へ供給可能とされる。また、排出ユニット１３の排出ローラ２９の回転により、後述のごとく、記録ヘッド１８により文字等が記録された連続紙または単票紙は、シート搬送機構部２３のプラテン２１から矢印β方向に引き出される。これにより、連続紙または単票紙は、キャリッジ１９の後述の主走査方向に直交する副走査方向に搬送される。
【００２２】
図１に示す前記キャリッジ１９は、キャリッジガイド軸２４に摺動自在に挿通されると共に、記録ヘッド１８を搭載する。キャリッジガイド軸２４がプラテン２１と平行に配置されることから、キャリッジ１９は、これらのプラテン２１及びキャリッジガイド軸２４の軸方向と一致する主走査方向に移動（走行）可能に設けられる。
【００２３】
図示しないキャリッジ駆動モータの正転または逆転により、キャリッジ１９は、タイミングベルト３０（図２）を介しキャリッジガイド軸２４に案内されて、主走査方向における図１の左向きまたは右向きに走行される。
【００２４】
前記記録ヘッド１８は多数の記録ワイヤ３５（図３（Ａ））を備え、これらの記録ワイヤ３５の突出方向前方にインクリボン３１が位置する。記録ヘッド１８は、キャリッジ１９と共に主走査方向に走行する間に、記録ワイヤを突出動作させてインクリボン３１に打ち当て、インクリボン３１のインクを、プラテン２１と記録ヘッド１８との間に搬送されるシートＳ（連続紙または単票紙）に付着させて、このシートＳに文字を含む画像を記録する。
【００２５】
記録ヘッド１８による記録動作は、キャリッジ１９が主走査方向左向きまたは右向きに走行する間に、記録ヘッド１８の記録ワイヤにより一行分の記録がなされ、この一行分の記録がなされる度に、シートＳが連続紙の場合には、シート搬送機構部２３のプラテン２１、プッシュトラクタユニット１２及び排出ユニット１３が、また、シートＳが単票紙の場合には、シート搬送機構部２３のプラテン２１、ピンチローラ２５及び排出ユニット１３が、それぞれシートＳを所定量（通常行間分）搬送させ、これらの動作が繰り返されることにより実施される。
【００２６】
尚、図２に示す符号３２は、ベースフレーム１４とシート案内フレーム１５との間に開口して形成されて、プリンタ１０の下方からシート搬送機構部２３内へシートＳを供給するためのボトムシート供給口である。
【００２７】
また、プラテン２１、プッシュトラクタユニット１２及び排出ユニット１３の駆動制御と、キャリッジ１９の走行制御と、記録ヘッド１８の記録ワイヤ３５による記録動作の制御は、制御装置としての制御基板３３（図２）により実施される。この制御基板３３は、例えばプリンタ本体１１の後方におけるシート案内フレーム１５の下方に配置される。
【００２８】
ところで、上記記録ヘッド１８は、図３及び図４に示すように、ヘッド本体４０にノーズ部４１が連設され、ヘッド本体４０の外側に放熱器４２が配置されて構成される。
【００２９】
上記ヘッド本体４０は、図４に示すように、有底円筒形状のフレーム４３の開口側に、略リング形状のヨーク４４（図６）、サイドヨーク４５（図６）が順次積層して配設され、また、フレーム４３の内側にスプリングホルダ４６が配置され、更に、上記ヨーク４４及びサイドヨーク４５の周方向に複数形成されたそれぞれの凹部４７及び凹部４８に各一本のワイヤレバー４９が収容され（図５及び図６には１本のワイヤレバー４９のみを示す。）、また、これらのワイヤレバー４９の基端部５０が、レバー支点押えばね５１を介してレバーホルダ５２により保持されて構成される。
【００３０】
フレーム４３は、ケイ素鋼（例えば１％ケイ素鋼）から構成される。このフレーム４３の底面部には、同心円上に所定間隔を隔ててコア５３が一体に突設され、これらの各コア５３に電磁石コイル５４が巻き付けられる。このコア５３及び電磁石コイル５４により電磁石５９が構成される。
【００３１】
それぞれの上記ワイヤレバー４９の先端部５５に、記録ワイヤ３５が１本づつ装着される。また、各ワイヤレバー４９は、それぞれの先端部５５付近が、スプリングホルダ４６に内蔵された復帰スプリング５８によってレバーホルダ５２方向へ常時付勢される。更に、各ワイヤレバー４９の基端部５０は、ヨーク４４の凹部４７を構成するリング部５６に接触可能に設けられる。
【００３２】
上記レバー支点押えばね５１は、図５及び図７に示すように、リング形状の基部６５から外方へ複数枚のレバー押えばね部５７が放射状に一体に延在された板ばねである。図４に示すように、レバー支点押えばね５１のそれぞれのレバー押えばね部５７がワイヤレバー４９の基端部５０に付勢力（押圧力Ｆ）を付与して押圧することにより、ワイヤレバー４９の基端部５０が、ヨーク４４のリング部５６に常時接触して保持される。また、上記レバーホルダ５２は、レバー支点押えばね５１のレバー押えばね部５７がワイヤレバー４９の基端部５０に常に押圧力Ｆを付与するようレバー支点押えばね５１を保持する。
【００３３】
上記電磁石５９の電磁石コイル５４に通電がなされると、この電磁石５９の周囲に磁気回路が形成され、コア５３が励磁されて吸引力が発生し、ワイヤレバー４９のアーマチェア部６０がコア５３に吸引される。これにより、ワイヤレバー４９は、基端部５０の先端を支点Ｏとしてノーズ部４１方向に回動し、記録ワイヤ３５をノーズ部４１の先端ガイド（不図示）から突出動作させる。
【００３４】
電磁石コイル５４の通電が遮断された時にコア５３が消磁されて、上記吸引力が消失する。このとき、ワイヤレバー４９は、復帰スプリング５８の付勢力（復帰力）により、基端部５０の支点Ｏ回りにレバーホルダ５２方向へ回動し、元位置に復帰する。
【００３５】
電磁石５９の周囲に形成される上記磁気回路には、図４に示すメイン磁気回路６１と、図５及び図６に示すサブ磁気回路６２とがある。
【００３６】
メイン磁気回路６１は、磁束が、コア５３からワイヤレバー４９のアーマチェア部６０及び基端部５０を経て、フレーム４３の外壁６３からコア５３へ循環して流れる磁気回路である。また、サブ磁気回路６２は、磁束が、コア５３からワイヤレバー４９、サイドヨーク４５、ヨーク４４及びフレーム４３の外壁６３を経て、コア５３へ循環して流れる磁気回路である。
【００３７】
図４に示す前記ノーズ部４１は、記録ワイヤ３５の上述の突出動作を含む進退動作を案内するものである。つまり、記録ワイヤ３５の進退動作は、ノーズ部４１内に形成された複数の中間ダクト６４及び不図示の先端ガイドにより案内される。また、前記放熱器４２は、電磁石５９の電磁石コイル５４への通電によって発熱するヘッド本体４０の熱を放散させて、このヘッド本体４０を冷却するものである。
【００３８】
さて、前記レバー支点押さえばね５１は、図７に示すように、基部６５の外周縁から、ワイヤレバー４９の個数に対応した複数枚のレバー押さえばね部５７が放射状に一体に延設されると共に、基部６５の内周縁から、その周方向適宜位置にスプリングホルダ押さえばね部６６が一体に形成されて構成される。更に、レバー支点押さえばね５１の内周には、スプリングホルダ４６の位置決め突起６９（図４）が挿入可能な位置決め穴７０を有する位置決め部７１が一体に形成されて、レバー支点押さえばね５１が記録ヘッド１８内で位置決めされる。
【００３９】
上記レバー押さえばね部５７は、図８に示すように、前述の如くレバー支点押さえばね５１の背面６７がレバーホルダ５２に押圧された状態で、ワイヤレバー４９の基端部５０に押圧力Ｆを付与し、この基端部５０をヨーク４４のリング部５６に接触して保持させる。
【００４０】
また、上記スプリングホルダ押さえばね部６６は、レバー支点押さえばね５１の背面６７が図５に押圧された状態で、スプリングホルダ４６に押圧力Ｐを付与し、このスプリングホルダ４６が記録ワイヤ３５の動作に伴いレバーホルダ５２側へ浮き上がることを防止する。
【００４１】
従って、このスプリングホルダ押さえばね部６６の存在によって、レバーホルダ５２とスプリングホルダ４６との間に、従来技術のコイルスプリング１０７（図９）等のばね部材が削除される。
【００４２】
更に、レバー支点押さえばね５１のスプリングホルダ押さえばね部６６がスプリングホルダ４６に押圧力Ｐを付与した時、レバー支点押さえばね５１は、スプリングホルダ４６から押圧力Ｐの反力Ｎｐを受ける。ここで、上記レバー支点押さえばね５１のレバー押さえばね部５７がワイヤレバー４９の基端部５０に押圧力Ｆを付与した時、この押圧力Ｆの反力Ｎｆがワイヤレバー４９の基端部５０からレバー支点押さえばね５１に作用して、レバー支点押さえばね５１は、レバーホルダ５２との接触点６８を中心に、図８の二点鎖線に誇張して示すように撓み変形して、上記押圧力Ｆが減少する傾向となる。スプリングホルダ４６からの上記反力Ｎｐは、反力Ｎｆによる上記レバー支点押さえばね５１の撓み変形を、レバーホルダ５２との接触点６８を支点として矯正する方向に作用し、これにより、レバー押さえばね部５７による押圧力Ｆの減少傾向を阻止する機能を果たす。
【００４３】
従って、上記実施の形態によれば、次の効果▲１▼及び▲２▼を奏する。
【００４４】
▲１▼レバー支点押さえばね５１は、そのレバー押さえばね部５７が、記録ワイヤ３５を先端部５５に装着したワイヤレバー４９の基端部５０に押圧力Ｆを付与すると、この押圧力Ｆの反力Ｎｆを受けて撓み変形し、上記押圧力Ｆが減少する傾向となる。しかし、レバー支点押さえばね５１のスプリングホルダ押さえばね部６６がスプリングホルダ４６を押圧した時の反力Ｎｐが、レバー支点押さえばね５１の上記撓み変形を矯正する方向に作用するので、レバー押さえばね部５７がワイヤレバー４９の基端部５０に作用する上記押圧力Ｆを適正に確保できる。この結果、基端部５０を支点Ｏとして回動するワイヤレバー４９の挙動が安定化し、記録ワイヤ３５を高速に進退動作させることができるので、プリンタ１０に高速記録を実現させることができる。
【００４５】
▲２▼レバー押さえばね部５７を備えたレバー支点押さえばね５１に、スプリングホルダ４６を押圧するスプリングホルダ押さえばね部６６が一体に設けられたことから、スプリングホルダ４６を押圧するためのばね部材等（例えば図９のコイルスプリング１０７）を別途組み付ける必要がないので、記録ヘッド１８の組立作業が容易となって、記録ヘッド１８の製造コストを低減できる。
【００４６】
以上、本発明を上記実施の形態に基づいて説明したが、本発明はこれに限定されるものではない。
【００４７】
【発明の効果】
請求項１に記載の発明に係る記録ヘッドのレバー支点押さえばねによれば、リング形状の基部の外周にレバー押さえばね部が一体に延設され、内周にスプリングホルダ押さえばね部が一体に形成され、レバー押さえばね部が、記録ワイヤを先端部に装着したワイヤレバーの基端部に押圧力を付与可能とし、スプリングホルダ押さえばね部が、ワイヤレバーの先端部付近に復帰力を付与する復帰スリングを収容したスプリングホルダに押圧力を付与可能に構成されたことから、記録ヘッドの記録ワイヤを先端部に装着したワイヤレバーの挙動を安定化して、記録装置に高速記録を実現させることができる。
【００４８】
請求項２に記載の発明に係る記録装置の記録ヘッドによれば、記録ワイヤを先端部に装着すると共に基端部を支点として回動可能に設けられたワイヤレバーと、このワイヤレバーの基端部に押圧力を付与するレバー支点押さえばねと、ワイヤレバーの上記先端部付近に復帰力を付与する復帰スプリングを収容したスプリングホルダと、を有する記録装置の記録ヘッドにおいて、上記レバー支点押さえばねは、リング形状の基部の外周にレバー押さえばね部が一体に延設され、内周にスプリングホルダ押さえばね部が一体に形成され、レバー押さえばね部が、ワイヤレバーの基端部に押圧力を付与可能とし、スプリングホルダ押さえばね部が、スプリングホルダに押圧力を付与可能に構成されたことから、記録ヘッドの記録ワイヤを先端部に装着したワイヤレバーの挙動を安定化して、記録装置に高速記録を実現させることができる。
【００４９】
請求項３に記載の発明に係る記録装置によれば、プラテンに沿って走行可能なキャリッジに搭載された複数の記録ワイヤを備える記録ヘッドは、記録ワイヤを先端部に装着すると共に基端部を支点として回動可能に設けられたワイヤレバーと、このワイヤレバーの基端部に押圧力を付与するレバー支点押さえばねと、ワイヤレバーの先端部付近に復帰力を付与する復帰スプリングを収容したスプリングホルダとを有し、上記記録ヘッドのレバー支点押さえばねは、リング形状の基部の外周にレバー押さえばね部が一体に延設され、内周にスプリングホルダ押さえばね部が一体に形成され、レバー押さえばね部が、ワイヤレバーの基端部に押圧力を付与可能とし、スプリングホルダ押さえばね部が、スプリングホルダに押圧力を付与可能に構成されたことから、記録ヘッドの記録ワイヤを先端部に装着したワイヤレバーの挙動を安定化して、記録装置に高速記録を実現させることができる。
【図面の簡単な説明】
【図１】本発明に係る記録装置の一実施の形態が適用されたドットインパクトプリンタのプリンタ本体を示す斜視図である。
【図２】図１のプリンタ本体を示す側断面図である。
【図３】図１の記録ヘッドを示す斜視図である。
【図４】図３のIV−IV線に沿う断面図である。
【図５】図４のV−V線の方向から目視し、一部を省略して示す矢視図である。
【図６】図４のサイドヨークを示し、（Ａ）が正面図、（Ｂ）が図６（Ａ）のVI−VI線に沿う断面図である。
【図７】図４のレバー支点押さえばねを示し、（Ａ）が正面図、（Ｂ）が図７（Ａ）のVII−VII線に沿う断面図である。
【図８】図４のレバー支点押さえばね、ワイヤレバー及びスプリングホルダ等を拡大して示す断面図である。
【図９】従来のドットインパクトプリンタにおける記録ヘッドのレバー支点押さえばね、ワイヤレバー及びスプリングホルダ等を拡大して示す断面図である。
【符号の説明】
１０  プリンタ（記録装置）
１８  記録ヘッド
１９  キャリッジ
２１  プラテン
３５  記録ワイヤ
４６  スプリングホルダ
４９  ワイヤレバー
５０  ワイヤレバーの基端部
５１  レバー支点押さえばね
５５  ワイヤレバーの先端部
５７  レバー支点押さえばねのレバー押さえばね部
５８  復帰スプリング
６５  レバー支点押さえばねの基部
６６  レバー支点押さえばねのスプリングホルダ押さえばね部
Ｆ  押圧力
Ｐ  押圧力
Ｏ  支点
Ｎｆ  反力
Ｎｐ  反力
Ｓ  シート
【図１】
0004003376.tif 000002
【図２】
0004003376.tif 000003
【図３】
0004003376.tif 000004
【図４】
0004003376.tif 000005
【図５】
0004003376.tif 000006
【図６】
0004003376.tif 000007
【図７】
0004003376.tif 000008
【図８】
0004003376.tif 000009
【図９】
0004003376.tif 000010